(57)【要約】【課題】簡単な構成で、表示画面に表示される演出情報を確実に隠蔽する。【解決手段】演出情報を表示可能な表示画面７１を遊技機の前面に向けて設けた表示装置７と、表示画面７１の前方に配置され、モータ１０３Ｂの動力により表示画面７１に沿って左右方向へ直線移動することにより、表示画面７１を遮蔽及び開放可能な左右の遮蔽部材８２とを備えた遊技機において、左右の遮蔽部材８２が表示画面７１を遮蔽する遮蔽位置にあるとき、左右の遮蔽部材８２同士が当接し合う内側端部に、表示画面７１へ向けて突出する突条部８２４を上下方向に沿って設ける。  【選択図】  図７
2008237305.tif 000002
【特許請求の範囲】
【請求項１】
演出情報を表示可能な表示画面を遊技機の前面に向けて設けた表示装置と、この表示装置の前記表示画面の前方に配置され、駆動源の動力により前記表示画面に沿って左右方向へ直線移動することにより、前記表示画面を遮蔽及び開放可能な左右の遮蔽部材とを備えた遊技機において、
前記左右の遮蔽部材が前記表示画面を遮蔽する遮蔽位置にあるとき、前記左右の遮蔽部材同士が当接し合う内側端部に、前記表示画面へ向けて突出する突条部を上下方向に沿って設けたことを特徴とする遊技機。
【請求項２】
遮蔽部材は、白色の板状部材で構成されることを特徴とする請求項１記載の遊技機。
【発明の詳細な説明】
【技術分野】
【０００１】
本発明は、演出情報を表示可能な表示画面を開閉可能な遮蔽部材を備えた遊技機に関する。
【背景技術】
【０００２】
遊技機としてのスロットマシンにおいて、遊技機前面に設けられ、各種演出情報を表示可能な液晶画面等で形成される表示画面の前面に、左右方向へ直線移動可能な左右の遮蔽部材を設け、遊技状況に応じて、左右の遮蔽部材を駆動源の動力により左右方向へ移動させることにより、表示画面を遮蔽したり開放したりして、多彩な演出を行い得るようにしたものがある（例えば、特許文献１参照）。また、両遮蔽部材が遮蔽位置にあるとき、両遮蔽部材同士が当接し合う内側端部間の隙間から、表示画面が発する光が漏れないようするため、隙間に対応する表示画面について黒色等の表示を行い、画像の修正により漏光を防止するようにしたものもある（例えば、特許文献２参照）。
【特許文献１】特開２００５−４０４１３号公報
【特許文献２】特開２００４−３５０９８８号公報
【発明の開示】
【発明が解決しようとする課題】
【０００３】
しかし、上述のような遊技機においては、特許文献２のように、遮蔽部材が遮蔽位置にあるときに生じる隙間からの表示画面の光の漏れを、表示画面に表示される画像の修正により防止するものであるため、画像の制御方式が複雑になる問題がある。また、例えば、表示画面に表示した演出情報の左右いずれか半分を隠蔽する場合には、遮蔽部材の内側端部と表示画面との間の隙間から演出情報が覗いてしまい、演出情報を確実に隠蔽することができない。
【０００４】
本発明は、従来の問題に鑑みてなされたもので、簡単な構成で、表示画面に表示される演出情報を確実に隠蔽することができるようにした遊技機を提供することを目的とする。
【課題を解決するための手段】
【０００５】
本発明によると、上記課題は、次のようにして解決される。
（１）演出情報を表示可能な表示画面を遊技機の前面に向けて設けた表示装置と、この表示装置の前記表示画面の前方に配置され、駆動源の動力により前記表示画面に沿って左右方向へ直線移動することにより、前記表示画面を遮蔽及び開放可能な左右の遮蔽部材とを備えた遊技機において、前記左右の遮蔽部材が前記表示画面を遮蔽する遮蔽位置にあるとき、前記左右の遮蔽部材同士が当接し合う内側端部に、前記表示画面へ向けて突出する突条部を上下方向に沿って設ける。  
【０００６】
（２）上記(１)項において、遮蔽部材は、白色の板状部材で構成される。
【発明の効果】
【０００７】
本発明によれば、次のような効果が奏せられる。
請求項１記載の発明によると、左右の遮蔽部材同士が当接し合う内側端部に、表示画面へ向けて突出する突条部を上下方向に沿って設けるだけの簡単な構成により、例えば、左右いずれか一方の遮蔽部材が開放位置にあり、他方が遮蔽位置にあるとき、遮蔽位置にある方の遮蔽部材の内側端部と表示画面との間の隙間から、表示画面に表示される演出情報の露呈を最小限に抑えて、演出情報の左右いずれか半分を見栄え良く確実に隠蔽することができる。
【０００８】
請求項２記載の発明によると、遮蔽部材を白色の板状部材で構成することにより、遮蔽部材で遮蔽された表示画面に明度や色相のコントラストの強い画像を表示する等により、画像が遮蔽部材を透して僅かに透けて見え、遊技者に演出画像を推定させるような演出を行うことができ、演出の態様を広げることができる。
【発明を実施するための最良の形態】
【０００９】
図１は、本発明を適用した遊技機の斜視図である。なお、以下の説明においては、図１における左斜め下方を「前方」とし、右斜め上方を「後方」とし、左斜め上方を「左方」とし、右斜め下方を「右方」とする。
【００１０】
遊技機（スロットマシン）１は、外周面に複数種類の図柄が描かれた左、中、右３個の回転リール２及びその他の各種遊技機器を収容した筐体３と、筐体３の前面に開閉可能に設けられた合成樹脂製の前扉４を備え、遊技媒体をなす円板状のメダル（コインも含む）を、前扉４の前面右側に設けたメダル投入部２０に投入することによって所定のゲームが行われるものである。
【００１１】
遊技機１の遊技は、遊技者がメダルをメダル投入部２０に投入した後、前扉４の前面に設けられたベットボタン２１によりメダルの賭数を設定した後、スタートレバー２２を操作して、全ての回転リール２を回転させることによって開始される。
【００１２】
回転リール２が回転して所定時間が経過した後、前扉４の前面に設けられた３個のストップボタン２３を順次操作して、各回転リール２の回転を停止させ、停止した３個の回転リール２の図柄の組み合わせにより、入賞の有無、及び賞の大小に応じたメダルの配当枚数が確定され、入賞した場合には、予め定めた枚数のメダルが前扉４の下部に設けたメダル受皿４１に払い出される。
【００１３】
前扉４における前面のほぼ中央には、各回転リール２の図柄を３こまずつ視認可能な透視窓４２が設けられ、また同じく上部には、表示ユニット５が設けられている。
【００１４】
図２は、、表示枠６を外した状態の表示ユニット５の正面図、図３は、斜め前方から見た表示ユニット５の分解斜視図、図４は、斜め後方から見た表示ユニット５の分解斜視図である。
【００１５】
表示ユニット５は、遊技状況に応じて、光源が点灯、点滅したり、後述の表示画面７１に各種演出情報を表示させたり、表示画面７１を遮蔽したり開放したりして遊技を演出するものであって、前扉４の前面上部に固定される合成樹脂製の表示枠６と、例えば白色のバックライトを備えたカラー液晶画像表示装置で構成され、遊技状況に応じた演出情報を表示可能な表示画面７１を有する表示装置７と、遊技状況に応じて表示画面７１を開閉する開閉装置８と、開閉装置８に動力を伝達するための前遮蔽部材用駆動装置１０Ａ及び後遮蔽部材用駆動装置１０Ｂと、表示枠６、表示装置７、開閉装置８及び各駆動装置１０Ａ、１０Ｂが取り付けられる合成樹脂製のベース部材１１と、遊技状況に応じて点灯、点滅したりして照明により遊技を演出するセンター照明装置１２及び左右のサイド照明装置１３、１３とを備えている。
【００１６】
表示装置７は、ベース部材１１の裏面側に固定されるとともに、前面に液晶画面等で形成される表示画面７１を有し、遊技状況に応じた演出情報を表示画面７１に表示することによって遊技の演出を盛り上げるものである。
【００１７】
ベース部材１１は、表示枠６と共に前扉４の上部に固定されるとともに、表示装置７の表示画面７１の大きさに相当する開口１１１を有し、開口１１１の裏面側両側部には、演出のための効果音を発生する左右のスピーカ１４が取り付けられている。
【００１８】
開閉装置８は、表示装置７における表示画面７１を挟むように、表示画面７１の前面に沿って左右方向へ直線移動可能な左右の前遮蔽部材８１及び後遮蔽部材８２と、前遮蔽部材８１及び後遮蔽部材８２をそれぞれ左右方向へ移動可能に支持するためのガイド手段９とを備える。
【００１９】
ガイド手段９は、ベース部材１１の前面に複数のボルト等（図示略）により固定される左右方向を向く上側ガイド９１及び下側ガイド９２と、上側ガイド９１と下側ガイド９２とを上下に連結する左右の連結板９３、９３とを有している。
【００２０】
上側ガイド９１は、左右の前遮蔽部材８１の上部を左右方向へ移動可能に支持するための前遮蔽部材用上部レール９１１と、左右の後遮蔽部材８２の上部を左右方向へ移動可能に支持するための後遮蔽部材用上部レール９１２を有している。前、後遮蔽部材用上部レール９１１、９１２は、互いに平行に配置されるとともに、縦断面形状がほぼ下向き開口コ字型をなしている。前遮蔽部材用上部レール９１１は、後遮蔽部材用上部レール９１２の上部に固定される。
【００２１】
下側ガイド９２は、左右の前遮蔽部材８１の下部を左右方向へ移動可能に支持するための前遮蔽部材用下部レール９２１と、左右の後遮蔽部材８２の下部を左右方向へ移動可能に支持するための後遮蔽部材用下部レール９２２を有している。前、後遮蔽部材用下部レール９２１、９２２は、互いに平行に配置されるとともに、縦断面形状がほぼ上向き開口コ字型をなしている。後遮蔽部材用下部レール９２２は、前遮蔽部材用下部レール９２１の後部に固定される。
【００２２】
左右の連結板９３は、表示装置７の表示画面７１を遮ることがないように、互いに左右方向へ隔てて配置され、その上端部は、後遮蔽部材用上部レール９１２の前面に連結され、また、同じく下端部は、前遮蔽部材用下部レール９２１の後面と後遮蔽部材用下部レール９２２の前面との間に連結される。
【００２３】
左右の前遮蔽部材８１は、全体が合成樹脂で形成されるとともに、上部に設けられた上スライド部８１３が前遮蔽部材用上部レール９１１に左右方向に移動可能に係合し、また、下部に設けられた下スライド部８１４が前遮蔽部材用下部レール９２１に左右方向へ移動可能に係合することにより、表示画面７１及び連結板９３の前面に沿って左右方向へ移動可能に支持され、表示画面７１を遮蔽する遮蔽位置と開放する開放位置とを間を直線移動する。
【００２４】
左右の前遮蔽部材８１の上スライド部８１３の後面には、前遮蔽部材用駆動装置１０Ａにおける後述のピニオン１０１に噛合するラック８１６が左右方向に沿って設けられている。
【００２５】
前遮蔽部材８１には、合成樹脂製の透視領域部８１１及び不透視領域部８１２が設けられている。透視領域部８１１は、図２に示すように、透明または半透明のアクリル合成樹脂板により正面視ほぼ半月形状に形成され、不透視領域部８１２の裏面に固定される。左右の前遮蔽部材８１が遮蔽位置にある場合、円形の透視領域越しに、表示画面７１に表示される演出情報を透視することができる。
【００２６】
合成樹脂製の後遮蔽部材８２は、後遮蔽部材用上部レール９１２内に左右方向へ移動可能に係合する上スライド部８２１と、後遮蔽部材用下部レール９２２内に左右方向へ移動可能に係合する下スライド部８２２と、表示画面７１を開閉可能な正面視矩形の半透明または不透明の遮蔽部８２３とを有し、連結板９３の後面及び表示画面７１の前面に沿って左右方向へ移動可能に支持され、表示画面７１を遮蔽する遮蔽位置と、開放する開放位置とに移動可能である。
【００２７】
後遮蔽部材８２は、遮蔽位置にあるとき、遮蔽部８２３により表示画面７１に表示される演出情報を隠蔽するとともに、左右の遮蔽部８２３同士が当接し合う内側端部には、表示画面７１へ向けて突出する突条部８２４が上下方向に延設されている。
【００２８】
後遮蔽部材８２における下スライド部８２２の後面には、後遮蔽部材用駆動装置１０Ｂにおける後述のピニオン１０１Ｂに噛合するラック８２５が左右方向に沿って設けられている。
【００２９】
突条部８２４は、前後厚さが薄く形成される遮蔽部８２３の剛性を高めるとともに、表示画面７１と後遮蔽部材８２の内側端部との間の隙間を小さくする機能を有している。これにより、左右の後遮蔽部材８２が遮蔽位置にあるとき、互いの内側端部同士が変形することなく確実に当接することができ、左右の後遮蔽部材８２の内側端部間の隙間からの表示画面７１が発する光の漏れを防止することができる。また、例えば、左右の前遮蔽部材８１が開放位置にあり、かつ左右いずれか一方の後遮蔽部材８２が遮蔽位置にあるとき、表示画面７１の左右いずれか半分を遮蔽している方の後遮蔽部材８２の内側端部と表示画面７１との間の隙間から、表示画面７１に表示されている演出情報が露呈することを防止して、演出情報の半分を確実に隠蔽することができる。
【００３０】
左右の前遮蔽部材用駆動装置１０Ａ及び左右の後遮蔽部材用駆動装置１０Ｂは、ブラケット１０２Ａ、１０２Ｂを介してベース部材１１の裏面に取り付けられる駆動源をなすモータ１０３Ａ、１０３Ｂと、モータ１０３Ａ、１０３Ｂにより回転させられる垂直軸廻りに回転可能なピニオン１０１Ａ、１０１Ｂとをそれぞれ備えている。
【００３１】
左右の前遮蔽部材用駆動装置１０Ａ、１０Ａは、左右の前遮蔽部材８１、８１をそれぞれ左右方向へ直線移動させるもので、ベース部材１１の裏面上部の左右に取り付けられる。ピニオン１０１Ａ、１０１Ａは、ベース部材１１の左右上部に設けられた横長の開口部１１２、１１２からベース部材１１の表面に露出して、左右の前遮蔽部材８１、８１のラック８１６、８１６にそれぞれ噛合し、モータ１０３Ａ、１０３Ａの動力を左右の前遮蔽部材８１、８１に伝達する。
【００３２】
左右の後遮蔽部材用駆動装置１０Ｂ、１０Ｂは、左右の後遮蔽部材８２、８２をそれぞれ左右方向へ直線移動させるもので、ベース部材１１の裏面下部の左右に取り付けられる。ピニオン１０１Ｂ、１０１Ｂは、ベース部材１１の左右下部に設けられた横長の開口部１１３、１１３からベース部材１１の表面に露出して、左右の後遮蔽部材８２、８２のラック８２５、８２５にそれぞれ噛合し、モータ１０３Ｂ、１０３Ｂの動力を左右の後遮蔽部材８２、８２に伝達する。
【００３３】
前、後各遮蔽部材８１、８２は、遊技状況に応じて様々な開閉態様に変化する。開閉態様しては、左右の前遮蔽部材８１及び後遮蔽部材８２の全てが遮蔽位置にあって、表示画面７１の全領域を遮蔽する二重遮蔽態様と、左右の前遮蔽部材８１及び後遮蔽部材８２の全てが開放位置にあって、表示画面７１の全領域を開放する開放態様と、左右の前遮蔽部材８１が開放位置にあり、かつ左右の後遮蔽部材８２が遮蔽位置にあって、表示画面７１を後遮蔽部材８２のみで遮蔽する遮蔽態様と、左右の後遮蔽部材８２が開放位置にあり、かつ前遮蔽部材８１が遮蔽位置にあって、前遮蔽部材８１のみで表示画面７１を遮蔽する遮蔽態様と、左右の前遮蔽部材８１が開放位置にあり、かつ左右いずれか一方の後遮蔽部材８２が開放位置、他方の後遮蔽部材８２が遮蔽位置にあって、表示画面７１の左右いずれか半分の領域を片方の後遮蔽部材８２により遮蔽する半遮蔽態様と、左右の後遮蔽部材８２が開放位置にあり、かつ左右いずれか一方の前遮蔽部材８１が開放位置、他方が遮蔽位置にあって、片方の前遮蔽部材８１で表示画面７１の左右いずれか半分の領域を遮蔽する半遮蔽態様とがある。
【００３４】
図６、７は、本発明における特徴を説明するための要部の概略平面図である。なお、図６、７においては、本発明を左右の後遮蔽部材８２に適用した実施形態であるため、説明の便宜上、後遮蔽部材８２のみを図示し、前遮蔽部材８１は省略してある。
【００３５】
図６は、左右の後遮蔽部材８２、８２の内側端部同士が当接して、表示画面７１の全領域を遮蔽した遮蔽態様を示す。この遮蔽態様においては、後遮蔽部材８２の内側端部同士、すなわち突条部８２４同士が当接しているため、左右の後遮蔽部材８２を遮蔽位置にした状態で、表示画面７１に演出情報を表示させる演出を行っても、左右の後遮蔽部材８２、８２における内側端部間の隙間から表示画面７１が発する光の漏れを最小限に抑えることができる。
【００３６】
図７は、左の後遮蔽部材８２が遮蔽位置があり、また、右の後遮蔽部材８２が開放位置にあって、表示画面７１の左半分を遮蔽した半遮蔽態様を示す。この半遮蔽態様においては、表示画面７１の左半分を遮蔽している左の後遮蔽部材８２の内側端部と表示画面７１との間の隙間は、突条部８２４により閉塞されるため、表示画面７１と後遮蔽部材８２の内側端部との間の隙間からの演出情報の露呈を最小限に抑えて、演出情報の左半分を確実に隠蔽することができる。
【００３７】
なお、本実施形態では、白色（あるいは乳白色とも言える）の合成樹脂材料からなる板状部材を使用している。そのため、光透過性はいくぶん有るものの透明度は低く（半透明）、表示装置７に表示される表示画面７１は遮蔽部材８２に覆われた場合には遊技者はその背景画像が何であるかを認識することができない程度にほぼ完全に遮断される。但し、表示装置７にバックライト付きのカラー液晶表示装置やプラズマディスプレイ等の高輝度の画像表示装置を使用し、表示画面７１が白黒や紅白等、色相のコントラストが強くしかも大きな画像で表示される場合には、その背景画像が遮蔽部材８２を通してうっすらと透けて見え、その背景画像が何であるかを遊技者が推定する程度のことは可能である。
【００３８】
以上、本発明の実施形態について説明したが、本発明の要旨を逸脱しない範囲内で、本実施形態に対して、次のような種々の変形や変更を施すことが可能である。（ｉ）遊技機１を、遊技媒体がメダル（コインを含む）とするスロットマシンに代えて、遊技媒体がパチンコ玉であるパチンコ機、スロットマシン、及びその他の遊技機とする。
（ii）表示装置７における表示画面７１の前面に、左右の前遮蔽部材８１または後遮蔽部材８２のいずれか一方のみを配置する。なお、左右の前遮蔽部材８１のみを配置した場合には、左右の前遮蔽部材８１の内側端部に、突条部８２４と同様な突条部を上下方向に設ける。
【図面の簡単な説明】
【００３９】
【図１】本発明を適用した遊技機の斜視図である。
【図２】表示枠を外した状態の表示ユニットの正面図である。
【図３】斜め前方から見た表示ユニットの分解斜視図である。
【図４】斜め後方から見た表示ユニットの分解斜視図である。
【図５】開閉装置の斜視図である。
【図６】遮蔽態様における要部の概略平面図である。
【図７】半遮蔽態様における要部の概略平面図である。
【符号の説明】
【００４０】
１  遊技機（スロットマシン）
２  回転リール
３  筐体
４  前扉
５  表示ユニット
６  表示枠
７  表示装置
８  開閉装置
９  ガイド手段
１０Ａ  前遮蔽部材用駆動装置
１０Ｂ  後遮蔽部材用駆動装置
１１  ベース部材
１２  センター照明装置
１３  サイド照明装置
１４  スピーカ
２０  メダル投入部
２１  ベットボタン
２２  スタートレバー
２３  ストップボタン
４１  メダル受皿
４２  透視窓
７１  表示画面
８１  前遮蔽部材
８２  後遮蔽部材
９１  上側ガイド
９２  下側ガイド
９３  連結板
１０１Ａ、１０２Ｂ  ピニオン
１０２Ａ、１０２Ｂ  ブラケット
１０３Ａ、１０３Ｂ  モータ（駆動源）
１１１  開口
１１２、１１３  開口部
８１１  透視領域部
８１２  不透視領域部
８１３  上スライド部
８１４  下スライド部
８１６  ラック
８２１  上スライド部
８２２  下スライド部
８２３  遮蔽部
８２４  突条部
８２５  ラック
９１１  前遮蔽部材用上部レール
９１２  後遮蔽部材用上部レール
９２１  前遮蔽部材用下部レール
９２２  後遮蔽部材用下部レール
【図１】
2008237305.tif 000003
【図２】
2008237305.tif 000004
【図３】
2008237305.tif 000005
【図４】
2008237305.tif 000006
【図５】
2008237305.tif 000007
【図６】
2008237305.tif 000008
【図７】
2008237305.tif 000009